(57)【要約】【課題】生産ライン中でコンタミとして混入する要因物を精度良く検査可能な電池の検査方法を提供する。【解決手段】この検査方法は、金属箔を有する正極１２及び負極１１がセパレータ１３を介して積層された発電要素１０と、電解質６０とを、外装体３０内に備える電池１を検査する方法であり、外装体３０の表面の凸状態の程度から疑義部を認定する疑義部認定工程（ステップＳ１）と、疑義部に認定された外装体３０の表面の箇所を示すマーカ５２、５３を外装体３０の表面に付すマーカ付設工程（ステップＳ２）と、マーカ５２、５３が付設された疑義部の箇所での電池１のＸ線透過画像を取得するＸ線透過画像取得工程（ステップＳ３）と、取得された疑義部でのＸ線透過画像から電池の良否を判定する判定工程（ステップＳ４）と、を含む。【選択図】図５
2019067645.tif 000002
【特許請求の範囲】
【請求項１】
金属箔を有する正極及び負極がセパレータを介して積層された発電要素と、電解質とを、外装体内に備える電池を検査する方法であって、
前記外装体の表面の凸状態の程度から疑義部を認定する疑義部認定工程と、
前記疑義部に認定された前記外装体の表面の箇所を示すマーカを前記外装体の表面に付すマーカ付設工程と、
前記マーカが付設された前記疑義部の箇所での前記電池セルのＸ線透過画像を取得するＸ線透過画像取得工程と、
取得された前記疑義部でのＸ線透過画像から前記電池の良否を判定する判定工程と、
を含むことを特徴とする電池の検査方法。
【請求項２】
前記疑義部認定工程は、前記外装体の表面の凸の程度が所定以上の部分を前記疑義部に認定する請求項１に記載の電池の検査方法。
【請求項３】
前記マーカ付設工程は、前記マーカとして、Ｘ線吸収度の高いマーカを前記疑義部に設定された箇所またはその近傍に付する請求項１または２に記載の電池の検査方法。
【請求項４】
前記マーカ付設工程は、前記マーカを少なくとも２つ用い、一方向からのＸ線の照射方向に対し直角方向であって、２つのマーカ間に疑義部を位置させるように各マーカを付設する請求項１〜３のいずれか一項に記載の電池の検査方法。
【発明の詳細な説明】
【技術分野】
【０００１】
本発明は、金属箔を有する正極及び負極がセパレータを介して積層された発電要素と、電解質とを、外装体内に備える電池を検査する技術に関する。
【背景技術】
【０００２】
従来から、この種の電池において、生産ライン中でコンタミとして電池内部に混入するおそれがある要因物に対し、電池内部をＸ線ＣＴや共振を利用して検査する方法が提案されている（例えば特許文献１参照）。
【先行技術文献】
【特許文献】
【０００３】
【特許文献１】特開２０１０−２４９６２９号公報
【発明の概要】
【発明が解決しようとする課題】
【０００４】
ここで、特許文献１記載の技術では、要因物として想定される形状が既知であることから、既知形状とのパターンマッチングを行って、その結果、該当すれば廃棄するという方法である。
【０００５】
しかし、上記電池の外装体表面に凸部を生じさせ得る要因物としては、銅箔やアルミ箔等の金属箔の切断工程での切断片などの他、樹脂、ラミネートフィルム、生産設備自体からの摩耗粉など多様であり、その形状は一定ではないことから、既知形状とのパターンマッチング法を適用することはできない。
【０００６】
さらに、上記電池は、銅箔やアルミ箔等の金属箔が多層となっている積層構造を有するところ、外装体表面に凸部を生じさせ得る要因物の大きさは、数十ミクロンから一ミリ程度と微小である。そのため、この種の電池の検査において、単純に電池全体をＸ線ＣＴスキャンするような検査方法では、銅箔やアルミ箔が多層となっている電池内の要因物とのＳ／Ｎ比が小さすぎるので、要因物を精度良く検出することが極めて困難である。
【０００７】
そこで、本発明は、生産ライン中でコンタミとして混入する要因物を精度良く検査可能な電池の検査方法を提供することを課題とする。
【課題を解決するための手段】
【０００８】
上記課題を解決するために、本発明の一態様に係る電池の検査方法は、金属箔を有する正極及び負極がセパレータを介して積層された発電要素と、電解質とを、外装体内に備える電池を検査する方法であって、前記外装体の表面の凸状態の程度から疑義部を認定する疑義部認定工程と、前記疑義部に認定された前記外装体の表面の箇所を示すマーカを前記外装体の表面に付すマーカ付設工程と、前記マーカが付設された前記疑義部の箇所での前記電池のＸ線透過画像を取得するＸ線透過画像取得工程と、取得された前記疑義部でのＸ線透過画像から前記電池の良否を判定する判定工程と、を含むことを特徴とする。
【発明の効果】
【０００９】
本発明の一態様に係る電池の検査方法によれば、疑義部認定工程により、外装体表面に凸部として確認された疑義部の部分に対し、マーカ付設工程により、疑義部をチェックするためのマーカを外装体の表面に付設する。そして、Ｘ線透過画像取得工程により、マーカが付設された疑義部の箇所での電池のＸ線透過画像を取得し、判定工程により、取得したＸ線透過画像から当該電池の良否を判定できる。そのため、不必要に電池を廃棄することが低減される。
【図面の簡単な説明】
【００１０】
【図１】本発明の一実施形態に係る検査対象となるリチウムイオン二次電池の模式的斜視図である。
【図２】図１のリチウムイオン二次電池のＺ−Ｚ断面図である。
【図３】本発明の一態様に係る電池の検査方法に用いる非破壊検査設備の一実施形態を説明する模式図である。
【図４】本発明の一態様に係る電池の検査方法に用いるマーカシートの一実施形態を説明する模式図である。
【図５】本発明の一態様に係る電池の検査方法の一実施形態を説明する非破壊検査フローである。
【発明を実施するための形態】
【００１１】
以下、本発明の一実施形態について、図面を適宜参照しつつ説明する。なお、図面は模式的なものである。そのため、厚みと平面寸法との関係、比率等は現実のものとは異なることに留意すべきであり、図面相互間においても互いの寸法の関係や比率が異なる部分が含まれている。また、以下に示す実施形態は、本発明の技術的思想を具体化するための装置や方法を例示するものであって、本発明の技術的思想は、構成部品の材質、形状、構造、配置等を下記の実施形態に特定するものではない。
【００１２】
＜検査対象となる電池の構成について＞
まず、本実施形態のリチウムイオン二次電池の構成について説明する。
図１に示すように、このリチウムイオン二次電池１（以下、単に「電池」ともいう）は、略矩形のシート状の外観形状を有する積層型電池である。電池１は、ラミネートフィルムによって形成された外装体３０を備える。
外装体３０の周縁部には、負極端子２１及び正極端子２２が設けられている。本実施形態の電池１では、略矩形の外装体３０の周縁部の一辺に、負極端子２１及び正極端子２２が隣り合って設けられている。また、負極端子２１及び正極端子２２は、それぞれ外装体３０の内部から外部に向かって同一方向に導出されている。
【００１３】
電池１は、図２に示すように、負極１１及び正極１２がセパレータ１３を介して交互に複数積層された発電要素１０と、電解質として発電要素１０に浸潤された電解液６０とを外装体３０内に備える。負極１１、正極１２及びセパレータ１３は、いずれも膜状であり、発電要素１０は平板状をなしている。負極１１、正極１２及びセパレータ１３は空孔を有し、電解液６０と接触すると電解液６０が浸潤する。
【００１４】
同図に示すように、負極１１は、負極集電体１１Ａの両主面上に負極活物質層１１Ｂ、１１Ｂを有する。負極活物質層１１Ｂは、リチウムイオンを吸蔵及び放出し得る負極活物質を含有している。正極１２は、正極集電体１２Ａの両主面上に正極活物質層１２Ｂ、１２Ｂを有する。正極活物質層１２Ｂは、リチウムイオンを吸蔵及び放出し得る正極活物質を含有している。
【００１５】
発電要素１０は、隣接する負極活物質層１１Ｂ、セパレータ１３及び正極活物質層１２Ｂが１つの単電池層１４を構成する。負極端子２１及び正極端子２２の端部のうち、外装体３０内に配される端子端部は、外装体３０内に封入された発電要素１０の負極集電体１１Ａ及び正極集電体１２Ａそれぞれのタブ部分に、例えば溶接によって電気的に接続される。これにより、本実施形態の電池１は、単電池層１４が複数積層されて、電気的に並列接続される。なお、同図に示す例では、３枚の負極１１と２枚の正極１２とが４枚のセパレータ１３を介して交互に複数積層された構造を有するが、負極１１、正極１２及びセパレータ１３の数は、これに限定されるものではない。
【００１６】
＜電池１の製造方法について＞
次に、上記電池１の製造方法について説明する。
負極１１の製造に際しては、負極活物質として調製したスラリーを、銅箔等の金属箔から所望寸法に切断されてなる負極集電体１１Ａに塗布し、乾燥させ、負極活物質層１１Ｂを形成して負極１１を作製する。
また、正極１２の製造に際しては、正極活物質として調製したスラリーを、アルミニウム箔等の金属箔から所望寸法に切断されてなる正極集電体１２Ａに、ホットプレート上にてドクターブレード等を用いて塗布し、乾燥させ、正極活物質層１２Ｂを形成して正極１２を作製する。
【００１７】
また、セパレータ１３の製造に際しては、長手方向に一軸延伸されて微多孔膜からなる帯状セパレータ材を用意し、その帯状セパレータ材を所望の寸法にて矩形状に切断して作製する。次いで、負極１１、セパレータ１３、及び正極１２を、図２に示したように積層して発電要素１０を構成する。発電要素１０を構成する際は、セパレータ１３と電極１１，１２との相対位置に注意してこれらの部材を積層する。
【００１８】
その後に、負極１１のタブ部分に負極端子２１を取り付けるとともに、正極１２のタブ部分に正極端子２２を取り付ける。そして、外装体３０となる一対のラミネートフィルムで発電要素１０を両側から挟み、図１に示すように、負極端子２１及び正極端子２２の先端が、それぞれラミネートフィルムの外部に突出するように位置させつつ、一対のラミネートフィルムの一辺を除く３つの周縁部同士を熱融着し、一辺に開口部を有する袋状の外装体３０とする。
【００１９】
次に、電解質である電解液６０を、外装体３０の開口部３１から内部に所期の量だけ注液する。電解液６０の注液により、発電要素１０に電解液６０を接触させて、発電要素１０に電解液６０を含浸させる。電解液６０を注液し終えたら外装体３０の開口部を熱融着して外装体３０を密閉状態とする。これにより、図１および図２に示した、ラミネート型のリチウムイオン二次電池１が完成する。なお、電解液６０として例えばゲル状の電解質を用いることもできる。
【００２０】
＜電池１の非破壊検査について＞
ここで、上述した電池１の品質を管理する上で、種々・多数の管理項目があるところ、基本的には、電池１の性能検査に合格後、外観検査に合格した製品が出荷される。外観検査とは、ラミネートフィルム製の外装体３０の状態から良否判定を行う検査であり、検査項目の一つとして、例えば外装体３０の表面に凸部がみられなければ合格品と判断する。一方、例えば図１にイメージを示すように、外装体表面に凸部Ｔがあると判断された場合、当該製品を破棄することが望ましい。なぜなら、その凸部Ｔを生じさせている要因物が、電池性能に将来影響を与えるおそれがあるかもしれないからである。
【００２１】
しかし、外装体表面に凸部Ｔがあるというだけで一律に総ての製品を破棄すると、凸部Ｔを生じさせている要因物が、電池性能に将来影響を与えない場合であっても製品を廃棄してしまうことになる。例えば、樹脂が要因物であれば電池１の性能に影響を与えるおそれがない。すなわち、外装体表面に凸部Ｔが確認された場合に、その凸部Ｔを生じさせている要因物が、将来、当該電池１の性能に影響を与えるか否かも視野に入れた非破壊検査を行うことにより、一層優れた製品を歩留まり良く出荷することに寄与する。そこで、本実施形態では、このような主旨に鑑み、上記電池１の非破壊検査を実施している。以下、詳しく説明する。なお、図１では、凸部Ｔを誇張したイメージを示しているが、上述した製造過程でコンタミとして混入し、外装体表面に凸部Ｔを生じさせ得る要因物の大きさは、数十ミクロンから一ミリ程度と微小である。
【００２２】
＜電池１の非破壊検査に用いる非破壊検査設備について＞
まず、本実施形態の電池１の非破壊検査に用いる非破壊検査設備について詳しく説明する。
図３に示すように、この非破壊検査設備４０は、いわゆる産業用ＣＴスキャナであって、Ｘ線を利用して検査対象を走査して得た画像を、コンピュータを用いて処理することで、検査対象の内部および外部を３次元データで表現する、卓上設置型のコンピュータ断層撮影装置である。
【００２３】
本実施形態の非破壊検査設備４０は、線源４１およびＸ線検出器４２は回転せずに回転台４３上の検査対象が回転するよう構成されている。詳しくは、この非破壊検査設備４０は、同図に示すように、Ｘ線（同図の符号Ｘ）を検査対象に向けて照射するＸ線管球を有する線源４１と、検査対象となる電池１を中央に位置させた状態で線源４１の反対側に対向配置されたＸ線検出器４２と、検査対象となる電池１を立てた姿勢で保持した状態で垂直な軸線まわりに回転させる回転台４３と、を備える。
【００２４】
線源４１は、Ｘ線管球から照射したＸ線ビームをコリメータ等にて狭め、扇型状となるファンビームとして電池１に向けて照射可能になっている。回転台４３上には、支持具４４が設けられている。支持具４４は、回転台４３の中央に相互に対向して立設された一対の挟持板４４ａ，４４ｂと、挟持部４５と、を備える。挟持部４５は、手で締結操作可能なねじによる締結挟持機構を有し、一対の挟持板４４ａ，４４ｂの一方を他方の対向方向に進退させて検査対象をその両側から挟持することにより、その保持および解除が可能に構成されている。
【００２５】
本実施形態の非破壊検査設備４０は、不図示のモータの駆動で回転台４３が回転することにより、検査対象となる電池１の周囲を線源４１とＸ線検出器４２が相対的に回転し、これにより、電池１はＸ線を周方向での全方位から受けるようになっている。電池１に照射された扇型状のＸ線は、電池１を透過時にその一部が電池１の構成部材に吸収されて減衰した後、線源４１の反対側に位置するＸ線検出器４２に到達し、それぞれの方向でＸ線がどの程度吸収されたかがデータとして記録される。
【００２６】
そして、記録されたデータからコンピュータによりＣＴ画像が再構成される。本実施形態では、再構成されたＣＴ画像を、３次元グラフィックスとして表示可能である。なお、ＣＴ画像の再構成手法としては、例えば解析的再構成法、代数的再構成法ないし統計的再構成法等の周知の手法によることができる。
【００２７】
なお、同図において符号Ｂで示す範囲内が、本実施形態の非破壊検査設備４０での検査対象設置可能範囲である。例えば、この検査対象設置可能範囲Ｂにおいて、検査対象を線源４１に近づけて幾何学的拡大率を大きくして検査対象の詳細を撮像したり、幾何学的拡大率を下げて幾何学不鮮明度の影響を小さくしたりできる。
【００２８】
この種のＸ線ＣＴで得られる検査対象の基本的な画像は、検査対象の断面を表すモノクロ画像である。再構成されたＣＴ画像上の白い部分（ＣＴ値（ＣＴ  ｎｕｍｂｅｒ）が高い部分）がＸ線の吸収度の高い部分であり、黒い部分（ＣＴ値が低い部分）がＸ線吸収の低い部分に対応する。金属（銅箔やアルミ箔等の金属箔）は高いＣＴ値（例えば数千ＨＵ）を呈する。これに対し、それ以外の樹脂やラミネートフィルム片等はＣＴ値が非常に低いことから、再構成されたＣＴ画像から容易に金属とそれ以外の物質とを見分けることが可能である。
【００２９】
ここで、上述したファンビームは、例えばコーンビームよりもＸ線の散乱の影響が少なく、より鮮明な画像を取得できる。しかし、検査対象となる電池１を１ライン毎に走査する必要があるため、電池１全体の走査には時間を要する。これに対し、本実施形態では、図１に示すように、検査対象となる電池１に対し、外装体３０の表面に凸部Ｔが確認された場合に、その凸部Ｔの箇所を疑義部として指定するマーカシート５０を付設し、検査対象となる電池１の疑義部を走査することにより、検査精度および検査効率を向上させている。以下、本実施形態の電池１の非破壊検査に用いるマーカシート５０について詳しく説明する、
【００３０】
＜電池１の非破壊検査に用いるマーカシート５０について＞
図４に拡大図示するように、このマーカシート５０は、平面視が矩形状をなす薄肉のシート部５１と、シート部５１上に予め付設された二つのマーカ５２、５３とを有する。シート部５１は、平面視が矩形状をなす透明な樹脂（例えばポリプロピレン）製のシート部材であり、シート裏面が着脱可能な程度の粘着面とされている。シート部５１として、ポリプロピレンシートに替えて、例えば、シート基材となる無色透明のセロファンの片面に粘着面を設けて帯状にしたセロファン粘着テープを用いることができる。
【００３１】
本実施形態の例では、シート部５１の平面寸法は、例えば、幅Ｗが６ｍｍ程度、長さＬが１２ｍｍ程度に形成されている。同図のシート部５１の中央に二点鎖線で示す部分は、疑義部と認定された凸部Ｔを位置させるための凸部対応領域５４とされている。凸部対応領域５４は、二点鎖線の範囲を窓として開口させてもよいし、窓を設けずにシート基材自体をそのまま用いてもよい。
二つのマーカ５２、５３は、Ｘ線吸収度の高い金属薄膜からなり、例えば銅箔を用いて構成されている。各マーカ５２、５３は、平面視が略Ｖ字形に形成され、同図に示すように、略Ｖ字形の凹の中心がシート部５１の幅方向中央に一致する位置であって、略Ｖ字形の凹の側が長さＬの方向の両側から、凸部対応領域５４を挟むように付設されている。二つのマーカ５２、５３相互の対向方向での離隔距離（同図符号Ｌ方向での長さ）は、凸部対応領域５４よりも外側に位置している。これにより、電池１の周囲を線源４１とＸ線検出器４２が相対回転して走査する時に、凸部Ｔの部分のＸ線透過画像に二つのマーカ５２、５３が干渉しないようになっている。
【００３２】
＜電池１の非破壊検査方法について＞
次に、本実施形態の電池１の非破壊検査方法について詳しく説明する。
上述した電池１を非破壊で検査する際は、図５に検査フローを示すように、検査員は、まず、例えば目視により、外装体３０の表面の凸状態の程度から疑義部を認定する（同図のステップＳ１（疑義部認定工程））。検査員は、疑義部認定工程にて、外装体の表面の凸の程度が所定以上か否かを判断し、疑義部と認定される程度の凸部Ｔが無いと判断した場合は（ステップＳ１のＮｏ）、電池１を破棄せずに、次の生産工程に当該電池１を送る（ステップＳ６）。
【００３３】
一方、疑義部認定工程にて、検査員が、疑義部と認定される程度の凸部Ｔが外装体３０の表面に有ると判定した場合には（ステップＳ１のＮｏ）、検査員は、図１に示すように、その疑義部に認定された外装体３０の表面の箇所を示すマーカを外装体３０の表面に付す（図５のステップＳ２（マーカ付設工程））。凸の程度が所定以上か否かは、例えば陰影の程度や凸の高さの程度から設定することができる。
マーカ付設工程は、Ｘ線吸収度の高いマーカを疑義部に設定された箇所またはその近傍に付する。本実施形態では、図１に示すように、両極端子２１，２２の延出方向に対して、二つのマーカ５２、５３が凸部Ｔを上下から挟むように、上記マーカシート５０を外装体３０の表面に貼り付けている。マーカ付設工程を経た電池１に対し、上記非破壊検査設備４０を用いてＣＴスキャン検査が行われる（ステップＳ３（Ｘ線透過画像取得工程））。
【００３４】
ＣＴスキャン検査では、まず、図３に示すように、電池１の両極端子２１，２２を上に向けた支持姿勢となるように支持具４４で電池１を支持する。このとき、本実施形態では、マーカとして少なくとも２つのマーカ５２、５３を有する上記マーカシート５０用い、線源４１による一方向からのＸ線の照射方向に対し直角方向であって、２つのマーカ５２、５３間に疑義部（つまり、凸部Ｔ）を位置させるようにマーカシート５０を貼り付けて、各マーカ５２、５３を外装体３０の表面に付設する。
【００３５】
次いで、回転台４３を回転させるとともにＸ線ビームを電池１に向けて照射し、電池１を走査して得たデータからコンピュータを用いて再構成処理をすることで、検査対象の電池１内部および外部が、ＣＴ画像および３次元データで表現される。
ここで、ＣＴスキャン検査に際し、本実施形態のように、銅箔やアルミ箔が多層となっている電池１の場合、ＣＴ画像の画素値のダイナミックレンジを単純均等に白黒画像に割り付けてしまうと、外装体３０表面に凸部Ｔを生じさせ得る要因物の大きさが、数十ミクロンから一ミリ程度と微小であるため、人間が観察する場合は、コントラスト不良となってしまい、ほとんど観察できなくなってしまうおそれがある。
【００３６】
そこで、本実施形態では、Ｓ／Ｎ比を上げて検出精度を向上させるために、凸部Ｔを生じさせ得る要因物に合わせたＣＴ値を割り振って「要因物弁別条件」を設定する。つまり、多層となっている積層金属箔を含む発電要素１０を有する電池１の内部構造を観察する場合、積層金属箔と要因物とを区別できるような「要因物弁別条件」で画像を観察する。
【００３７】
特に、本実施形態では、線源４１による一方向からのＸ線の照射方向に対し直角方向であって、２つのマーカ５２、５３間に疑義部を位置させるように各マーカ５２、５３が外装体３０の表面に付設されているので、検査員は、形状や材質が既知である２つのマーカ５２、５３を基準に複数の「要因物弁別条件」を切り替えながら、コンピュータのモニタ上でリアルタイムに疑義部のＣＴ画像を観察し、電池１の外装体３０表面に凸部Ｔを生じさせ得る要因物が銅箔やアルミ箔等の金属箔であるか否か、つまり要因物の材質を確実に且つ効率良く判定することができる（ステップＳ４（判定工程））。
【００３８】
＜電池１の非破壊検査方法による作用効果について＞
次に、本実施形態の電池１の非破壊検査方法の作用効果について詳しく説明する。
本実施形態に係る電池の非破壊検査方法では、上述したように、疑義部認定工程（ステップＳ１）により、外観検査でラミネートフィルム製の外装体３０表面に凸部Ｔとして確認された疑義部の部分を検査部とし、マーカ付設工程（ステップＳ２）により、疑義部をチェックするためのマーカ５２、５３を外装体３０の表面に予め付設する。そして、Ｘ線透過画像取得工程（ステップＳ３）により、二つのマーカ５２、５３が付設された疑義部の箇所での電池１のＸ線透過画像を取得し、続く判定工程（ステップＳ４）により、取得したＸ線透過画像からマーカ５２、５３の付設部分での要因物を効率良く抽出してその材質を精度良く判定できる。
【００３９】
特に、本実施形態に係る電池の非破壊検査方法では、銅箔やアルミ箔等の金属箔が多層となっている電池１に対し、金属箔と同様の材質が外装体３０の中にある場合に、Ｓ／Ｎ比を上げて検出精度を向上させる必要があるところ、疑義部に金属箔と同様の材質からなるマーカ５２、５３を付すことによって、検査員がマーカ５２、５３が見えるように合わせたＣＴ値を割り振って「要因物弁別条件」を設定するのである。
【００４０】
そして、金属と樹脂とではＸ線の透過率が大幅に異なるので、マーカ５２、５３が見える要因物弁別条件下において、マーカ５２、５３相互の間の凸部対応領域５４部分の疑義部をチェックするだけで、要因物の材質が、マーカ５２、５３と同様の材質か否かを容易に見分けることができる。よって、本実施形態に係る電池の非破壊検査方法によれば、銅箔やアルミ箔等の金属箔が多層となっている電池１であっても、当該電池１の良否を効率良く且つ精度良く判定でき、不必要に電池１を廃棄することが低減される、という優れた効果を奏する。
【００４１】
なお、本発明に係る電池の検査方法は、上記実施形態に限定されるものではなく、本発明の趣旨を逸脱しなければ種々の変形が可能である。
例えば、上記実施形態では、電池の一例として、リチウムイオン二次電池を例に説明したが、これに限らず、本発明は、金属箔を有する正極及び負極がセパレータを介して積層された発電要素と、電解質とを、外装体内に備える電池であれば、種々の電池に適用することができる。
また、例えば上記実施形態では、非破壊検査設備の一例として、非破壊検査設備４０に、二次元ＣＴスキャナを用いた例を示したが、これに限定されず、例えば、非破壊検査設備として、３次元ＣＴスキャナを用いたり、ヘリカルＣＴスキャナを用いたりしてもよい。
【００４２】
また、例えば上記実施形態では、一のマーカシート５０に予め付設した、金属箔と同様の材質からなる二つのマーカ５２、５３を用いた例で説明したが、これに限定されず、マーカの数は一つでもよいし、３以上のマーカを用いてもよい。また、一のマーカシート５０に限らず、複数のマーカシートを用いてもよい。
【００４３】
但し、本実施形態のように、二つのマーカ５２、５３がＸ線吸収度の高い金属薄膜からなり、一方向からのＸ線の照射方向に対し直角方向であって、２つのマーカ５２、５３間に疑義部を位置させるように、各マーカ５２、５３が凸部対応領域５４を挟むように付設され、さらに、二つのマーカ５２、５３相互を、対向方向で離隔して凸部対応領域５４よりも外側に位置させれば、電池１の周囲を線源４１とＸ線検出器４２が相対回転して走査する時に、二つのマーカ５２、５３により疑義部を見つけやすくするとともに、凸部Ｔの部分のＸ線透過画像に二つのマーカ５２、５３が干渉しない。よって、銅箔やアルミ箔等の金属箔が多層となっている電池１の疑義部検査を効率良く且つ精度良く判定する上で好適である。
【符号の説明】
【００４４】
１    リチウムイオン二次電池（電池）
１０    発電要素
１１    負極
１２    正極
１３    セパレータ
１４    単電池層
２１    負極端子
２２    正極端子
３０    外装体
４０    非破壊検査設備
５０    マーカシート
６０    電解液（電解質）
Ｔ    （外装体表面の）凸部
【図１】
2019067645.tif 000003
【図２】
2019067645.tif 000004
【図３】
2019067645.tif 000005
【図４】
2019067645.tif 000006
【図５】
2019067645.tif 000007